(57)【要約】【課題】  本発明の目的は、光検出器装置において、光検出器の感度又は光検出器へ接続された処理回路の感度を設定する制御ラインが不要であり、共同で使用される光検出器装置を有する、異なる光記録媒体用の再生又は記録装置を提供することである。【解決手段】  本発明は、例えば、記憶密度に関して異なる、異なる光記録媒体用の再生又は記録装置に関し、再生又は記録装置は、異なる手段によりスキャンされ、異なる記録媒体及びスキャン手段に共同で使用される光検出器装置を有し、光検出器装置は、レーザダイオードの絶対的な光パワーレベルから独立した光検出器信号を提供する。レーザダイオードの絶対光パワーレベルから独立した光検出器信号を生成するために、光検出器の感度を切り換えるスイッチ（ＳＷ）が提供され、そのスイッチは、レーザダイオード（ＬＤ２）で均一な光パワーを生成するために、変調器（ＭＤ）により制御される。基本装置への接続ライン及びスイッチ（ＳＷ）を制御する対応端子は、好ましくは結果として不要になる。本発明の応用は、レーザ電流の変調が、均一な光パワーを生成するために提供されるような、異なる光記録媒体の再生又は記録装置に関して想定される。
2005512266.tif 000002
【特許請求の範囲】
【請求項１】
異なる光記録媒体用の再生又は記録装置において、光検出器装置が、複数のレーザダイオード（ＬＤ１、ＬＤ２）の異なる光パワーレベルに使用され、該光検出器装置は、該レーザダイオード（ＬＤ１、ＬＤ２）の絶対光パワーレベルから独立した光検出器信号（ＰＤｏｕｔ）を提供する再生又は記録装置であって、該絶対光パワーレベルから独立した光検出器信号（ＰＤｏｕｔ）を提供して、異なる光パワーレベルに光検出器の感度を切り換えるために、スイッチ（ＳＷ）が提供され、該スイッチ（ＳＷ）を制御する目的のために、該スイッチは変調器（ＭＤ）に接続され、該変調器は変調された光パワー（ｌｐ）用の変調信号（ｍｏｄ）を生成する、レーザダイオード（ＬＤ２）へ接続されることを特徴とする再生又は記録装置。
【請求項２】
前記変調器（ＭＤ）が、前記スイッチ（ＳＷ）を制御するために、制御ライン（ｔＳＷ）へ接続された制御アセンブリ（ｃｏｎｔｒｌ）を有することを特徴とする請求項１に記載の再生又は記録装置。
【請求項３】
異なる光パワーレベルに光検出器の感度を切り換えるための前記変調器（ＭＤ）及び前記スイッチ（ＳＷ）が、一つの基板に配置されることを特徴とする請求項１に記載の再生又は記録装置。
【請求項４】
前記絶対光パワーレベルから独立した光検出器信号（ＰＤｏｕｔ）を提供する前記光検出器は、フォトダイオード（ＰＤ）であり、少なくとも一つの抵抗（ＬＤ２ｐ）が、前記スイッチ（ＳＷ）によって、該フォトダイオードと並列に接続され得ることを特徴とする請求項１に記載の再生又は記録装置。
【請求項５】
前記絶対光パワーから独立した光検出器信号（ＰＤｏｕｔ）を提供する前記光検出器は、フォトダイオード（ＰＤ）であり、該光検出器の感度の切り換えの間、所望しない光検出器信号（ＰＤｏｕｔ）を防ぐことと、該光検出器の最も高い感度を設定することとのために提供された抵抗（ＬＤｂｐ）が、該フォトダイオードへ接続されることを特徴とする請求項１に記載の再生又は記録装置。
【請求項６】
前記スイッチ（ＳＷ）は、電子スイッチ手段であることを特徴とする請求項１に記載の再生又は記録装置。
【請求項７】
前記スイッチ（ＳＷ）が、前記変調器（ＭＤ）から独立したスイッチオン／オフ動作を有することを特徴とする請求項１に記載の再生又は記録装置。
【発明の詳細な説明】
【技術分野】
【０００１】
本発明は、例えば、記憶密度に関して異なるような、異なる光記録媒体用の再生又は記録装置に関し、再生又は記録装置は、異なる手段によりスキャンされ、異なる記録媒体及びスキャン手段に共同で使用される光検出器装置を有し、光検出器装置は、レーザダイオードの絶対光パワーレベルから独立した光検出器信号を提供する。
【背景技術】
【０００２】
情報記憶素子のレイヤー構造及びサイズのような記憶密度及び構造に関して異なる、例えば、ＤＶＤ及びＣＤのような光記録媒体が、一般に知られている。このような異なる記録媒体に情報を記録する及び再生することは、各記録媒体に適応された光源と、光源の光パワーを調整するため又は記録媒体から別々に反射された光に適応するために、感度に関して設定され得る検出器との両方を必要とする。ツインレーザは、既知であり、異なる記録媒体の記録又は再生に必要な光を提供する。このようなツインレーザは、一般に、モニターダイオードとも呼ばれるフォトダイオード、すなわち、異なる光パワーを検出するために、ツインレーザの集積部品として提供される光検出器を備える。そのため、光検出器の信号は、少なくとも二つの異なる光源又は二つの異なる光パワーレベルを制御するために使用され得るので、下流の処理回路を適応させる、又は光検出器の感度を変える必要がある。結果として、光検出器の感度、又は下流の処理回路の感度が、各光パワーレベルに適応されるようなスイッチ手段及びスイッチ信号が、備えられ得る。しかし、これは、不都合なことに、追加のライン及び接続素子を必要とし、これらを介して、光スキャンデバイス上に提供され得るスイッチ素子が駆動され得る。光スキャンデバイスは一般に、可動式で、記録媒体の記録又は再生トラックに追従するように提供され、その目的は、基本装置へのスキャンデバイスの接続数を更に、できる限り少なくすることである。
【発明の開示】
【発明が解決しようとする課題】
【０００３】
従って、本発明の目的は、光検出器装置において、光検出器の感度又は光検出器へ接続された処理回路の感度を設定する制御ラインが不要であり、共同で使用される光検出器装置を有する、異なる光記録媒体用の再生又は記録装置を提供することである。
【課題を解決するための手段】
【０００４】
この目的は、独立請求項に記載の特徴を用いて達成される。好ましい改良は、従属請求項に記載されている。
【０００５】
本発明の一実施形態によると、異なる光記録媒体をスキャンすることに使用される、異なる光パワーレベルに適応するための光検出器の感度又は光検出器へ接続された処理回路の感度を制御することに、少しの費用を要するような、共同で使用される光検出器装置を有する、異なる光記録媒体用の再生又は記録装置が提案される。一方では、ただ一つの光検出器に対して、二つのレーザダイオードの光パワーが、一つの増幅器のみで制御されることを目的としているため、他方では、出力信号の振幅が小さいことを理由に、光検出器の感度の切り換えが、光検出器のできる限り近くに提供され得るため、光検出器の感度を切り換えるスイッチ手段は、光検出器の近く又はピックアップとも呼ばれるスキャンデバイス上に直接提供され得る。従って、光検出器の感度を切り換えることにより、レーザダイオードの絶対光パワーレベルから独立した、異なる光パワーレベルを制御することに使用され得る光検出器信号が、好ましくは、提供される。スイッチ手段を制御するために、スイッチ手段は、既知の方法で、比較的より均一なレーザ光を生成することに使用される変調信号を生成するために、レーザダイオードに接続された変調器へ接続される。変調器は、変調信号を生成するために、下流に接続されている増幅器と共に発振器を制御する制御アセンブリを備える。従って、制御アセンブリにより生成されたスイッチ信号は、光検出器の感度を切り換えるスイッチ手段を制御するために使用される。スイッチ手段を制御するために、既知の装置に提供されている端子及び基本装置へのライン接続が、光検出器の感度又はスキャンデバイス上に同様に配置されている光検出器へ接続された処理回路の感度を制御するための最初の光パワーレベルと異なる光パワーレベルを生成する手段を使用することにより、不要になる。
【０００６】
一実施形態によると、レーザダイオードの絶対パワーレベルから独立した光検出器信号は、ツインレーザに集積されたフォトダイオード及び少数の信号ラインを用いて提供される。ツインレーザの二つのレーザダイオードの光パワーは、光検出器の感度を制御するために、スイッチ手段又はスイッチを介して抵抗へ接続されたフォトダイオードにより制御される。スイッチは、異なる記録媒体の一つに記録又は再生するために、レーザダイオードへ接続された変調器により、制御される。一実施形態によると、スイッチは、電子スイッチとして基板上に変調器と共に配置され、例えば、変調器に関して逆の方法又は遅延の方法で、スイッチオン又はオフされるスイッチによって、変調器から独立したスイッチオン／オフ動作を有してもよい。
【０００７】
レーザダイオードに与えられるレーザダイオード電流の変調は、より均一な光パワーの生成をもたらし、均一な光パワーは、比較的高い記憶密度を有する、例えば、ＤＶＤのような光記録媒体への記録又は再生のために、特に必要とされる。変調は、例えば、５００ＭＨｚの区域の高周波数変調である。この目的のために、基本装置によって基本電流が供給されるレーザダイオードは、変調器に接続され、変調器は、この接続を介してスイッチがオンにされ、レーザダイオード電流を変調する。この目的のために、制御デバイスが変調器内に提供され、制御デバイスは、高周波数信号を生成する発振器を駆動し、制御デバイスの出力信号が、好ましくは、光検出器の感度を制御するスイッチを制御するために使用される。変調器の制御デバイスの出力信号が、光検出器の感度を制御するスイッチを制御するために使用されることにより、光検出器の感度又は光検出器に接続された処理回路の感度を適応させるための制御ラインが不要である。光検出器の感度の切り換えの間に、光検出器信号の所望しない転換を防ぐため、抵抗及びキャパシタが光検出器の出力に接続される。一実施形態によると、前記抵抗は、レーザダイオード基本光パワー又は光検出器の最も高い感度を設定し、同時に、感度を切り換えるときに、所望しない光検出器信号を防ぐために提供される。
【０００８】
本発明は、図面の典型的な実施形態に関して、より詳細に以下で説明される。
【発明を実施するための最良の形態】
【０００９】
図１は、複数のレーザダイオードＬＤ１、ＬＤ２の絶対光パワーレベルから独立した光検出器信号ＰＤｏｕｔを提供する既知の回路装置のブロック図である。このような回路装置は、例えば、記憶密度に関して異なる、異なる光記録媒体が、再生又は記録装置内に提供され、再生又は記録装置は、異なる手段によってスキャンされ、異なる記録媒体及びスキャン手段に共に使用される光検出器装置を備え、光検出器装置は、レーザダイオードＬＤ１、ＬＤ２の絶対光パワーレベルから独立した光検出器信号ＰＤｏｕｔを提供する。図１に示されたように、ツインレーザの場合、二つのレーザダイオードＬＤ１、ＬＤ２は、フォトダイオードＰＤと共にアセンブリに集積される方法で、実現され、アセンブリ内では、レーザダイオードＬＤ１、ＬＤ２及びフォトダイオードＰＤが、共通のアースラインＧＮＤを介して、お互いに接続される。このようなツインレーザは、例えば、ＤＶＤ及びＣＤのような、異なる光記録媒体に情報を記録すること又は再生することに使用される。できるかぎり均一な光パワーを生成する光源が、特に、高い記憶密度を有する光記録媒体への記録又は再生に必要とされる。均一な光パワーとは、波長帯に狭いスペクトルラインを有し、ほとんどノイズがない光パワーを意味すると理解される。この目的のために、レーザダイオードＬＤ２に与えられた電流は、変調器ＭＤにより提供された高周波信号で変調される。更に、レーザダイオードＬＤ１、ＬＤ２の絶対光パワーレベルから独立した光検出器信号ＰＤｏｕｔを提供するために、光検出器の感度を制御するスイッチＳＷが提供される。レーザダイオードＬＤ１、ＬＤ２の絶対光パワーレベルから独立した光検出器信号ＰＤｏｕｔは、一つの増幅器だけで、両方のレーザダイオードＬＤ１、ＬＤ２の光パワーを調整できるように、提供される。レーザダイオードＬＤ１、ＬＤ２用に異なる電流を設定するために、増幅器（図示なし）は、レーザダイオードＬＤ１、ＬＤ２が接続される、異なるドライバステージを有する。従って、レーザダイオードＬＤ１、ＬＤ２のうちどちらかが、記録媒体の各基準に従って、駆動される。レーザダイオードＬＤ１、ＬＤ２により生成される光パワーレベルが異なるので、フォトダイオードＰＤにより生成される信号もまた、対応する差異を有する。レーザダイオードＬＤ１、ＬＤ２の絶対光パワーレベルから独立した光検出器信号ＰＤｏｕｔを生成するためにもかかわらず、フォトダイオードＰＤは、スイッチＳＷを介して、抵抗ＬＤ１ｐ、ＬＤ２ｐへ接続される。抵抗ＬＤ１ｐ、ＬＤ２ｐは、フォトダイオードＰＤと共に、光検出器を形成し、光検出器の感度は、切り換えスイッチとして提供されるスイッチＳＷにより制御される。抵抗ＬＤ１ｐ、ＬＤ２ｐは、光検出器の感度を各光パワーレベルに適応させるために、調節可能な形で提供される。この実施形態によると、光検出器の異なる感度は、フォトダイオードＰＤと並列に接続された、異なる抵抗器により達せられる。フォトダイオードＰＤの出力信号は、レーザダイオードＬＤ１、ＬＤ２の絶対光パワーレベルから独立した光検出器信号ＰＤｏｕｔを生成するため、異なって弱められる。抵抗ＬＤ１ｐ、ＬＤ２ｐは、スイッチＳＷの切り換えの間、フォトダイオードＰＤへ即座に接続されないので、切り換えの間、所望しない光検出器信号ＰＤｏｕｔを防ぐため、抵抗及びキャパシタにより形成された並列回路を含むアセンブリｏｐｔが、フォトダイオードＰＤに接続される。
【００１０】
この場合、この並列回路における抵抗は、その抵抗値が、抵抗ＬＤ１ｐ及びＬＤ２ｐの値よりもかなり大きくなるような大きさに合わせられる。更に、抵抗ｆｒ及び抵抗ａｍｐが、変調器ＭＤに接続され、これらの抵抗は、変調器ＭＤにより生成される変調信号ｍｏｄの周波数及び振幅を設定することに使用される。レーザダイオードＬＤ１、ＬＤ２の電源用の端子及び光検出器信号ＰＤｏｕｔが提供される端子に加え、供給電圧ＶＣＣ及びアースラインＧＮＤ及びスイッチＳＷを制御する端子ｓｅｌｅｃｔがピックアップ端子上に提供され、これらの端子それぞれから、ピックアップから基本装置へラインが引かれる。供給電圧ＶＣＣは、変調器ＭＤ及びスイッチＳＷに給電し、電子的に実現され、同時に、変調器ＭＤが活性でないときでさえも、電子スイッチＳＷが、温度によって、約３０オームから１００オームの低い内部抵抗を有することを保証する。基本装置という言葉は、メカデッキを示すためにここで使用され、メカデッキ上には、スキャンデバイスが、記録媒体の記録又は再生トラックに追従するために、可動式で配置される。端子の数、及びスキャンデバイスから基本装置までの接続ラインの数を最小化するために、図２に従い、変調器ＭＤを用いてスイッチＳＷを制御するように装置が作られるので、対応する端子ｓｅｌｅｃｔ及び基本装置への接続ラインが、好ましくは不要であるが、それにもかかわらず、レーザダイオードＬＤ１、ＬＤ２の絶対光パワーレベルから独立した光検出器信号ＰＤｏｕｔは、生成される。参照シンボルは、図面において対応するように選択される。図２に示された実施形態は、基本装置へ接続するための単独の端子ｓｅｌｅｃｔを備えず、対応接続ラインが不要であるけれども、その機能に関して、提案された解決法は、図１に示された実施形態と同じである。変調器ＭＤによるスイッチＳＷの制御は、スイッチＳＷを制御する、図４に示された変調器ＭＤの制御アセンブリｃｏｎｔｒｌの使用により可能になる。図４に示された変調器ＭＤは、ラインを介して、端子でレーザダイオードＬＤ２へ接続され、その端子を介して、基本レーザ電流ｂＬＤｃがレーザダイオードＬＤ２へ与えられる。このラインを介して、変調器ＭＤは、変調信号ｍｏｄを生成するためにスイッチが入れられ、変調信号ｍｏｄもまた、レーザダイオードＬＤ２へ与えられるので、レーザダイオードＬＤ２は、既知の方法で、光パワーｌｐを生成し、その光パワーは高周波数信号と共に変調され、変調されていない光パワーに比べて、より優れた均一性により区別される。基本レーザ電流ｂＬＤｃがレーザダイオードＬＤ２へ与えられると、制御アセンブリは、下流に接続された増幅器ＲＦと共に、発振器ｏｓｃｉｌｌのスイッチを入れる制御アセンブリｃｏｎｔｒｌが、変調器ＭＤ内に提供されることにより、制御アセンブリｃｏｎｔｒｌが、好ましくは、前記制御アセンブリｃｏｎｔｒｌへ接続されている端子ｓｅｌｅｃｔにより、スイッチと呼ばれているスイッチ手段を制御することに同様に使用される。変調器ＭＤの制御アセンブリｃｏｎｔｒｌにおいて、基本レーザ電流ｂＬＤｃがレーザダイオードＬＤ２へ与えられると、参照電圧ｒｅｆｅｒとの比較によって、スイッチ信号が生成され、スイッチＳＷは、制御ラインｔＳＷを介して、変調器ＭＤの制御アセンブリｃｏｎｔｒｌのスイッチ信号によって制御されるので、スイッチＳＷを制御するために、基本装置への接続ラインを必要としない。図１から図３に既に示されたように、変調器ＭＤは、共通の基板上にスイッチと共に配置され得る。そのため、変調器ＭＤ及びスイッチＳＷが集積されたアセンブリを提供する。発振器ｏｓｃｉｌｌの周波数を設定する抵抗ｆｒは、変調器ＭＤの発振器ｏｓｃｉｌｌへ接続され、変調信号ｍｏｄの振幅を設定する抵抗ａｍｐは、変調器ＭＤの増幅器ＲＦへ接続される。本発明の更なる典型的な実施形態は、図３に明確に記される。図２に示された実施形態と対照的に、ここでは、シンプルなスイッチＳＷが、切り換えスイッチの代わりに、スイッチとして提供され、アセンブリｏｐｔに提供された抵抗及び抵抗ＬＤ２ｐは、図３によると、抵抗ＬＤｂｐに置き換えられる。抵抗ＬＤｂｐは、フォトダイオードＰＤへ接続され、好ましくは、光検出器の感度の切り換えの間、所望しない光検出器信号ＰＤｏｕｔを防ぎ、レーザダイオード基本光パワー又は光検出器の最も高い感度を設定するために提供される。この実施形態によると、複数のレーザダイオードＬＤ１、ＬＤ２の絶対パワーレベルから独立した光検出器信号ＰＤｏｕｔを生成するために、スイッチＳＷによって、フォトダイオードＰＤと並列に接続されている抵抗ＬＤ１ｐにより、光検出器の感度は低減される。フォトダイオードＰＤは、レーザダイオードＬＤ１、ＬＤ２又は複数の部分を含む光検出器素子に関する、いわゆるモニターダイオードとして提供されるフォトダイオードＰＤでもよい。検出器の感度を変えることは、原則として、検出器へ接続された処理回路の入力感度を変えることと同一視されるので、光検出器の感度と、光検出器に接続された処理回路の感度という言葉は、同義であると考えられる。
【００１１】
ここで説明された実施形態は、例として明記され、当業者は、本発明の特許請求の範囲内である本発明の他の実施形態に気が付くことが可能である。
【図面の簡単な説明】
【００１２】
【図１】複数のレーザダイオードの絶対光パワーレベルから独立した光検出器信号を提供する既知の回路装置のブロック図である。
【図２】制御ラインの増設なしに、複数のレーザダイオードの絶対光パワーレベルから独立した光検出器信号を提供する回路装置のブロック図である。
【図３】制御ラインの増設なしに、複数のレーザダイオードの絶対光パワーレベルから独立した光検出器信号を提供する回路装置の第二の実施形態におけるブロック図である。
【図４】レーザダイオード変調器のブロック図である。
【符号の説明】
【００１３】
ａｍｐ、ｆｒ、ＬＤ１ｐ、ＬＤ２ｐ、ＬＤｂｐ  抵抗
ｂＬＤｃ  基本レーザ電流
ｃｏｎｔｒｌ  制御アセンブリ
ＧＮＤ  アースライン
ＬＤ１、ＬＤ２  レーザダイオード
ｌｐ  光パワー  
ＭＤ  変調器
ｍｏｄ  変調信号
ｏｐｔ  アセンブリ
ｏｓｃｉｌｌ  発振器
ＰＤｏｕｔ  光検出器信号
ＲＦ  増幅器
ｓｅｌｅｃｔ  端子
ＳＷ  スイッチ
ｔＳＷ  制御ライン
ＶＣＣ  供給電圧
【図１】
2005512266.tif 000003
【図２】
2005512266.tif 000004
【図３】
2005512266.tif 000005
【図４】
2005512266.tif 000006
【国際調査報告】
2005512266.tif 000007
2005512266.tif 000008
2005512266.tif 000009